(57)【要約】    【課題】      再送回数を削減することができる受信装置及び通信システムを提供すること。    【解決手段】  本発明の受信装置１００は、無線でパケットの送受信を行う通信システムの受信装置であって、ＭＡＣレイヤ１０４を含む複数のレイヤと、ＢｌｏｃｋＡＣＫのＳｔｅｔｕｐプロセスで相手方の送信装置からの前記複数のレイヤの制御情報を受けて保持するヘッダ情報保持部１０６と、を具備する。ＭＡＣレイヤ１０４が、相手の前記送信装置からの前記パケットを処理している時に信号処理の誤りを検出した場合に当該信号処理をしている当該ＭＡＣレイヤ１０４より上位の前記複数のレイヤのヘッダ情報保持部１０６に保持されている前記ヘッダ情報に基づいて前記信号処理の誤りを補正する誤り補正部１０４３を有する。  【選択図】      図１
2007006327.tif 000002
【特許請求の範囲】
【請求項１】
無線でパケットの送受信を行う通信システムの受信装置であって、
ＭＡＣレイヤを含む複数のレイヤと、
Ｂｌｏｃｋ ＡＣＫのＳｅｔｕｐプロセスで相手方の送信装置からの前記複数のレイヤの制御情報を受けて保持する制御情報保持手段と、を具備し、
前記複数のレイヤのうちの前記ＭＡＣレイヤは、
相手の前記送信装置からの前記パケットを処理している時に信号処理の誤りを検出した場合に当該信号処理をしている当該ＭＡＣレイヤより上位の前記複数のレイヤの前記制御情報保持手段に保持されている前記制御情報に基づいて前記信号処理の誤りを補正する誤り補正手段を有する受信装置。
【請求項２】
無線でパケットの送受信を行う送信装置と受信装置とを具備し、前記送信装置及び前記受信装置は、ＭＡＣレイヤを含む複数のレイヤと、相手方の送信装置からの制御情報を保持する制御情報保持手段と、を具備し、かつ、１つの前記レイヤの前記制御情報の一部は他の前記レイヤの前記制御情報の一部と共通する共通制御情報である通信システムにおいて、
前記送信装置は、
Ｂｌｏｃｋ ＡＣＫシステムのＳｅｔｕｐプロセスで前記受信装置に対して前記制御情報を有する前記パケットを送受信して前記制御情報保持手段が前記制御情報を保持した後に前記制御情報の前記共通制御情報を省略してヘッダ情報省略パケットを生成するヘッダ情報省略パケット生成手段と、
前記ヘッダ情報省略パケットを送信するパケット送信手段と、を具備し、
前記受信装置は、
前記制御情報保持手段に保持されている前記制御情報に基づいて前記ヘッダ情報省略パケットに前記共通制御情報を付加して前記共通制御情報の省略がない通常の前記制御情報を生成する制御情報生成手段と、
前記制御情報生成手段により生成される前記制御情報を保持する生成制御情報保持手段と、を具備し、
前記受信装置の前記ＭＡＣレイヤは、
前記生成制御情報保持手段により保持されている前記制御情報に基づいて信号を処理する処理手段と、
相手の前記送信装置からの前記パケットを処理している時に信号処理の誤りを検出した場合に当該信号処理をしている当該ＭＡＣレイヤより上位の前記複数のレイヤの前記制御情報保持手段に保持されている前記制御情報に基づいて前記信号処理の誤りを補正する誤り補正手段と、を具備する通信システム。
【発明の詳細な説明】
【技術分野】
【０００１】
本発明は、無線でパケットの送受信を行う通信システム及び受信装置に関するものである。
【背景技術】
【０００２】
まず、Ｗ−ＬＡＮシステム上における各レイヤについての追加データ及びその機能について述べる。
【０００３】
図４に示すように、Ｗ−ＬＡＮシステムにおける送信装置及び受信装置は、ＰＨＹレイヤ、ＭＡＣレイヤ、ＬＬＣレイヤ、ＩＰレイヤ及びＴＣＰレイヤを具備している。
【０００４】
ＰＨＹレイヤは、パケットのビットを送信装置と受信装置等の通信端末装置の間で正しく伝送する機能を有している。ＭＡＣレイヤは、フレーム構成として制御フレーム及びユーザデータフレームといったようにフレームを構築する機能を有している。ＬＬＣレイヤは、送信装置と受信装置との接続を保持するためにフレームに対してリソース割り当てを行う機能を有している。
【０００５】
ＩＰレイヤは、インターネット上において経路制御を行う機能を有している。ＴＣＰレイヤは、ユーザである送信装置と受信装置との間においてエラーフリーで信頼度の高い通信を確保する機能を有している。
【０００６】
これらの複数のレイヤの機能を実行するため、各レイヤでヘッダ（ヘッダ情報）又はテイルビットといったデータが追加されてパケットが配送される。
【０００７】
次に複数のレイヤにおけるヘッダについて、説明する。
【０００８】
以下に各レイヤにおけるヘッダ内容の１例が図示されている。ＰＨＹレイヤでもヘッダが追加されるが、今回は関係ないため掲載しない。
【０００９】
図５は、従来のＭＡＣフレームにおけるＭＡＣのヘッダを説明するための図である。図６は、従来のＬＬＣフレームにおけるＬＬＣのヘッダを説明するための図である。図７は、従来のＩＰフレームにおけるＩＰのヘッダを説明するための図である。図８は、従来のＴＣＰフレームにおけるＴＣＰのヘッダを説明するための図である。
【００１０】
Ｗ−ＬＡＮの仕様の一つであるＩＥＥＥ８０２．１１ｅ（非特許文献１参照）では、図９に示すようなｓｅｌｅｃｔｉｖｅ ｒｅｐｅａｔを使用したＢｌｏｃｋＡＣＫシステムが提案されている。ＢｌｏｃｋＡＣＫシステムでは、以下のような手続きでｓｅｌｅｃｔｉｖｅ ｒｅｐｅａｔが実現される。
【００１１】
最初に，ＳｅｔｕｐのADDBA request/ ADDBA responseというパケットを使用して、送信元(Originator)および相手先(Recipient)の通信時間及びメモリ量が確保される。
【００１２】
次に，Ｄａｔａ＆ＢｌｏｃｋＡＣＫの手順で、QoS Data MPDUと呼ばれる連続したデータパケットが送信され、ｓｅｌｅｃｔｉｖｅ ｒｅｐｅａｔ方式が実現される。
【００１３】
また、連続したデータの最後を通知するＢｌｏｃｋＡＣＫ Ｒｅｑｕｅｓｔフレームを最後に送り、相手先からＢｌｏｃｋＡＣＫパケットを受信する。次に、Ｔｅａｒ Ｄｏｗｎでは、最初に設定したより短い時間で個別の通信が終わる場合、DELBA Requestが送信元から送られ、セル内のＢｌｏｃｋ ＡＣＫ状態が解除される。  
【非特許文献１】P802_11E-D8.0.pdf,IEEE802.11e Draft8.0 , IEEE
【発明の開示】
【発明が解決しようとする課題】
【００１４】
しかしながら、従来のＷ−ＬＡＮシステムにおいては、受信装置のＭＡＣレイヤが信号処理の誤りを検出した時には、必ずデータの再送要求を通知するため、再送回数が多くなるという問題がある。
【００１５】
また、従来のＷ−ＬＡＮシステムにおいては、通信を行う２つの通信装置の間で必要とされるデータ以外に各レイヤで添付されるヘッダ情報に冗長部分があるため、ＩＰＨＣ(ＩＰ Header Compression)等のＩＰヘッダ圧縮技術が存在するが、ＩＰヘッダのみの圧縮技術であるから、データ以外の各レイヤで添付されるヘッダ情報に冗長部分が大きいという問題がある。
【００１６】
また、従来のＷ−ＬＡＮシステムにおいては、ＢｌｏｃｋＡＣＫプロセスで図９のＳｅｔｕｐで相互に前もって情報を交換してあるため、Ｄａｔａ＆ＢｌｏｃｋＡＣＫにおいては、各レイヤのヘッダ情報でさらに不必要なものが増加するという問題がある。
【００１７】
本発明は、かかる点に鑑みてなされたものであり、再送回数を削減することができる受信装置及び通信システムを提供することを目的とする。
【００１８】
また、本発明は、ヘッダ情報（制御情報）の量を削減することができる受信装置及び通信システムを提供することを目的とする。
【課題を解決するための手段】
【００１９】
本発明の第１のものは、無線でパケットの送受信を行う通信システムの受信装置であって、ＭＡＣレイヤを含む複数のレイヤと、Ｂｌｏｃｋ ＡＣＫのＳｅｔｕｐプロセスで相手方の送信装置からの前記複数のレイヤの制御情報を受けて保持する制御情報保持手段と、を具備し、前記複数のレイヤのうちの前記ＭＡＣレイヤが、相手の前記送信装置からの前記パケットを処理している時に信号処理の誤りを検出した場合に当該信号処理をしている当該ＭＡＣレイヤより上位の前記複数のレイヤの前記制御情報保持手段に保持されている前記制御情報に基づいて前記信号処理の誤りを補正する誤り補正手段を有する構成を採る。
【００２０】
この構成によれば、制御情報保持手段がＭＡＣレイヤを含む複数のレイヤの制御情報を保持し、かつ、誤り補正手段が信号処理の誤りを検出した場合に当該信号処理をしている当該ＭＡＣレイヤより上位の前記複数のレイヤの前記制御情報保持手段に保持されている前記制御情報に基づいて前記信号処理の誤りを補正するため、再送要求の回数を削減することができる。
【００２１】
本発明の第２のものは、無線でパケットの送受信を行う送信装置と受信装置とを具備し、前記送信装置及び前記受信装置が、ＭＡＣレイヤを含む複数のレイヤと、相手方の送信装置からの制御情報を保持する制御情報保持手段と、を具備し、かつ、１つの前記レイヤの前記制御情報の一部が他の前記レイヤの前記制御情報の一部と共通する共通制御情報である通信システムにおいて、前記送信装置が、Ｂｌｏｃｋ ＡＣＫシステムのＳｅｔｕｐプロセスで前記受信装置に対して前記制御情報を有する前記パケットを送受信して前記制御情報保持手段が前記制御情報を保持した後に前記制御情報の前記共通制御情報を省略してヘッダ情報省略パケットを生成するヘッダ情報省略パケット生成手段と、前記ヘッダ情報省略パケットを送信するパケット送信手段と、を具備し、前記受信装置が、前記制御情報保持手段に保持されている前記制御情報に基づいて前記ヘッダ情報省略パケットに前記共通制御情報を付加して前記共通制御情報の省略がない通常の前記制御情報を生成する制御情報生成手段と、前記制御情報生成手段により生成される前記制御情報を保持する生成制御情報保持手段と、を具備し、前記受信装置の前記ＭＡＣレイヤが、前記生成制御情報保持手段により保持されている前記制御情報に基づいて信号を処理する処理手段と、相手の前記送信装置からの前記パケットを処理している時に信号処理の誤りを検出した場合に当該信号処理をしている当該ＭＡＣレイヤより上位の前記複数のレイヤの前記制御情報保持手段に保持されている前記制御情報に基づいて前記信号処理の誤りを補正する誤り補正手段と、を具備する構成を採る。
【００２２】
この構成によれば、本発明の第１のものの効果に加えて、通常の制御情報の代わりに共通制御情報を省略した省略ヘッダ情報を送信パケットに追加して送信するため、送信する制御情報の量を削減することができる。
【発明の効果】
【００２３】
本発明の第１のものによれば、再送回数を削減することができる受信装置及び通信システムを提供することができる。
【００２４】
また、本発明の第２のものによれば、本発明の第１のものの効果に加えて、ヘッダ情報（制御情報）の量を削減することができる受信装置及び通信システムを提供することができる。
【発明を実施するための最良の形態】
【００２５】
以下、本発明の実施の形態について、図面を参照して詳細に説明する。
【００２６】
（実施の形態１）
図１は、本発明の実施の形態１に係る受信装置の構成を示すブロック図である。図１に示すように、本発明の実施の形態１に係る受信装置１００は、ＲＦ受信部１０１、復調部１０２、誤り訂正復号部１０３、ＭＡＣレイヤ１０４、複数のＭＡＣ以外のレイヤ１０５及びヘッダ情報保持部１０６を具備している。ＭＡＣレイヤ１０４は、ヘッダ処理部１０４１、誤り検出部１０４２及び誤り補正部１０４３を具備している。
【００２７】
本発明の実施の形態１に係る受信装置を具備する通信システムは、図２に示すように、ＢｌｏｃｋＡＣＫシステムにおけるＳｅｔｕｐのステップとＤａｔａ＆ＢｌｏｃｋＡＣＫのステップとＴｅａｒＤｏｗｎのステップと有している。本発明の実施の形態１に係る受信装置１００を具備する通信システムにおいては、Ｓｅｔｕｐのステップが実行された後にＤａｔａ＆ＢｌｏｃｋＡＣＫのステップが実行され、次に、ＴｅａｒＤｏｗｎのステップが実行される。
【００２８】
すなわち、本発明の実施の形態１に係る受信装置を具備する通信システムにおいては、ＳｅｔｕｐのステップにおいてＳｅｔｕｐの送信データ（ヘッダ情報を含む）が送受信された後に、Ｄａｔａ＆ＢｌｏｃｋＡＣＫのステップにおいてデータを含むパケットが送受信され、送信元が連続したデータの最後を通知するＢｌｏｃｋＡＣＫＲｅｑｕｅｓｔのフレームを最後に送り、相手先からＢｌｏｃｋＡＣＫパケットを受信する。次に、ＴｅａｒＤｏｗｎのステップにおいては、最初に設定したより短い時間で個別の通信が終わる場合、ＤＥＬＢＡＲｅｑｕｅｓｔが送信元から送られ、セル内のＢｌｏｃｋＡＣＫ状態が解除される。
【００２９】
ヘッダ情報保持部１０６は、Ｓｅｔｕｐのステップにおける情報を送受信により、ＭＡＣレイヤ１０４及び複数のＭＡＣ以外のレイヤ１０５のヘッダ情報（制御情報）を保持するものである。
【００３０】
ＲＦ受信部１０１は、アンテナからのＳｅｔｕｐの送信データ及びＤａｔａ＆ＢｌｏｃｋＡＣＫの送信データを受けて所定の受信処理をして受信信号を生成して復調部１０２に与える。復調部１０２は、ＲＦ受信部１０１からの受信信号を復調して復調信号を生成して誤り訂正復号部１０３に与える。
【００３１】
誤り訂正復号部１０３は、復調部１０２からの復調信号の誤り訂正を行うと共に復調信号の復号を行って復号信号を生成しＭＡＣレイヤ１０４のヘッダ処理部１０４１及びヘッダ情報保持部１０６に与える。
【００３２】
ヘッダ情報保持部１０６は、Ｓｅｔｕｐの送信データに対応する誤り訂正復号部１０３からの復号信号のヘッダ情報を保持する。ヘッダ情報保持部１０６に保持されているヘッダ情報は、ＭＡＣレイヤ１０４及び複数のＭＡＣ以外のレイヤ１０５のヘッダ情報（制御情報）を有している。
【００３３】
ヘッダ処理部１０４１は、復号信号のヘッダ情報を処理して処理ヘッダ情報と復号信号のデータを誤り検出部１０４２に与える。誤り検出部１０４２は、ヘッダ処理部１０４１からの処理ヘッダ情報に基づいて、Ｄａｔａ＆ＢｌｏｃｋＡＣＫの送信データに対応する復号信号のデータの信号処理の誤りを検出して誤り検出情報を生成する。誤り検出部１０４２は、復号信号のデータ及び誤り検出情報を誤り補正部１０４３に与える。
【００３４】
誤り補正部１０４３は、誤り検出部１０４２からの誤り検出情報及びヘッダ情報保持部１０６のヘッダ情報（制御情報）に基づいて復号信号のデータの信号処理の誤りを補正して補正データを生成する。誤り補正部１０４３は、補正データを複数のＭＡＣ以外のレイヤ１０５の１つに与える。補正データは、複数のＭＡＣ以外のレイヤ１０５により順次に処理されて受信データとして出力される。
【００３５】
本発明の実施の形態１においては、ヘッダ情報保持部１０６がＭＡＣレイヤ１０４及び他の複数のレイヤ１０５のヘッダ情報（制御情報）を有し、かつ、誤り補正部が、誤り検出部からの誤り検出情報及びヘッダ情報保持部１０６のヘッダ情報（制御情報）に基づいて復号信号のデータの信号処理の誤りを補正するため、再送要求の回数を削減することができる。
【００３６】
（実施の形態２）
図３は、本発明の実施の形態２に係る通信システムの構成を示すブロック図である。本発明の実施の形態２においては、本発明の実施の形態１と同じ構成要素には同じ参照符号を付してその説明を省略する。
【００３７】
図３に示すように、本発明の実施の形態２に係る通信システムは、受信装置３００及び送信装置３１０を具備している。
【００３８】
図３に示すように、受信装置３００は、本発明の実施の形態１に係る受信装置１００において、ＭＡＣ制御情報生成部３０１及びＭＡＣ制御情報保持部３０２を追加してなる。
【００３９】
送信装置３１０は、データ生成部３１１、上位レイヤヘッダ追加部３１２、ＢｌｏｃｋＡＣＫ手順検出部３１３、ＭＡＣヘッダ追加部３１４、誤り検出追加部３１５、省略ヘッダ生成部３１６、省略ヘッダ追加部３１７、誤り訂正符号化部３１８、変調部３１９及びＲＦ送信部３２０を具備している。
【００４０】
データ生成部３１１は、送信データを生成して上位レイヤヘッダ追加部３１２及びＢｌｏｃｋＡＣＫ手順検出部３１３に与える。上位レイヤヘッダ追加部３１２は、データ生成部３１１からの送信データに上位レイヤのヘッダ情報を追加してその送信データをＢｌｏｃｋ ＡＣＫ手順検出部３１３、ＭＡＣヘッダ追加部３１４及び省略ヘッダ追加部３１７に与える。
【００４１】
Ｂｌｏｃｋ ＡＣＫ手順検出部３１３は、データ生成部３１１からの送信データ及び上位レイヤヘッダ追加部３１２からの送信データに基づいて、Ｂｌｏｃｋ ＡＣＫの手順を検出して検出手順情報を生成してＭＡＣヘッダ追加部３１４及び省略ヘッダ生成部３１６に与える。
【００４２】
ＭＡＣヘッダ追加部３１４は、ＢｌｏｃｋＡＣＫ手順検出部３１３からの検出手順情報に基づいて通常のＭＡＣのヘッダ情報を追加すると判断した時には、上位レイヤヘッダ追加部３１２からの送信データに通常のＭＡＣのヘッダ情報を追加してその送信データを誤り検出追加部３１５に与える。
【００４３】
省略ヘッダ生成部３１６は、ＢｌｏｃｋＡＣＫ手順検出部３１３からの検出手順情報に基づいて通常のＭＡＣのヘッダ情報を追加しないと判断した時には、通常のＭＡＣのヘッダ情報のうちの上位のレイヤと共通する共通制御情報を省略して省略ヘッダ情報を生成して省略ヘッダ追加部３１７に与える。省略ヘッダ追加部３１７は、省略ヘッダ生成部３１６からの省略ヘッダ情報を上位レイヤヘッダ追加部３１２からの送信データに追加してその送信データを誤り検出追加部３１５に与える。
【００４４】
誤り検出追加部３１５は、ＭＡＣヘッダ追加部３１４からの送信データ又は省略ヘッダ生成部３１６からの送信データに誤り検出信号を追加してその送信データを誤り訂正符号化部３１８に与える。
【００４５】
誤り訂正符号化部３１８は、誤り検出追加部３１５からの送信データに誤り訂正符号化処理を行ってその送信データを変調部３１９に与える。変調部３１９は、誤り訂正符号化部３１８からの送信データを変調して変調信号を生成してＲＦ送信部３２０に与える。ＲＦ送信部３２０は、変調部３１９からの変調信号に所定に処理をして送信信号を生成してアンテナを介して送信する。
【００４６】
一方、受信装置３００においては、ＭＡＣ制御情報生成部３０１は、ヘッダ情報保持部１０６に保持されているヘッダ情報（制御情報を含む）に基づいて、省略ヘッダ情報に当該省略ヘッダ情報を生成する時に省略された前記共通制御情報を追加して前記共通制御情報の省略がない通常のＭＡＣヘッダ情報を生成してＭＡＣ制御情報保持部３０２に与える。ＭＡＣ制御情報保持部３０２は、ＭＡＣ制御情報生成部３０１からの通常のＭＡＣヘッダ情報を保持する。
【００４７】
ヘッダ処理部１０４１及び誤り検出部１０４２は、ＭＡＣ制御情報保持部３０２に保持されている通常のＭＡＣヘッダ情報に基づいて処理を行う。
【００４８】
本発明の実施の形態２は、本発明の実施の形態１の効果に加えて、通常の制御情報（ヘッダ情報）の代わりに前記共通制御情報を省略した省略ヘッダ情報を送信データに追加して送信するため、送信する制御情報の量を削減することができる。
【産業上の利用可能性】
【００４９】
本発明は、再送回数を削減することができ、また、ヘッダ情報（制御情報）の量を削減することができる効果を有し、受信装置及び通信システムに有用である。
【図面の簡単な説明】
【００５０】
【図１】本発明の実施の形態１に係る受信装置の構成を示すブロック図
【図２】本発明の実施の形態１に係る通信システムにおいて用いられるＢｌｏｃｋＡＣＫシステムにおけるＳｅｔｕｐのステップとＤａｔａ＆ＢｌｏｃｋＡＣＫのステップとＴｅａｒＤｏｗｎのステップとを説明するための図
【図３】本発明の実施の形態２に係る通信システムの構成を示すブロック図
【図４】従来のＷ−ＬＡＮシステムにおける送信装置及び受信装置の複数のレイヤを説明するための図
【図５】従来のＭＡＣフレームにおけるＭＡＣのヘッダを説明するための図
【図６】従来のＬＬＣフレームにおけるＬＬＣのヘッダを説明するための図
【図７】従来のＩＰフレームにおけるＩＰのヘッダを説明するための図
【図８】従来のＴＣＰフレームにおけるＴＣＰのヘッダを説明するための図
【図９】従来の通信システムにおいて用いられるＢｌｏｃｋＡＣＫシステムにおけるＳｅｔｕｐのステップとＤａｔａ＆ＢｌｏｃｋＡＣＫのステップとＴｅａｒＤｏｗｎのステップとを説明するための図
【符号の説明】
【００５１】
１００、３００  受信装置
１０１  ＲＦ受信部
１０２  復調部
１０３  誤り訂正復号部
１０４  ＭＡＣレイヤ
１０５  レイヤ
１０４１  ヘッダ処理部
１０４２  誤り検出部
１０４３  誤り補正部
３０１  ＭＡＣ制御情報生成部
３０２  ＭＡＣ制御情報保持部
３１０  送信装置
３１１  データ生成部
３１２  上位レイヤヘッダ追加部
３１３  ＢｌｏｃｋＡＣＫ手順検出部
３１４  ＭＡＣヘッダ追加部
３１５  誤り検出追加部
３１６  省略ヘッダ生成部
３１７  省略ヘッダ追加部
３１８  誤り訂正符号化部
３１９  変調部
３２０  ＲＦ送信部
【図１】
2007006327.tif 000003
【図２】
2007006327.tif 000004
【図３】
2007006327.tif 000005
【図４】
2007006327.tif 000006
【図５】
2007006327.tif 000007
【図６】
2007006327.tif 000008
【図７】
2007006327.tif 000009
【図８】
2007006327.tif 000010
【図９】
2007006327.tif 000011